(57)【要約】【課題】  電池が装着されていない携帯端末に対して電力を供給する。【解決手段】  電力供給装置１０は、ＰＤＣコネクタ２１を有する携帯電話機２０に対し電力を供給する電力供給装置１０であって、ＰＤＣコネクタ２１に接続されるプラグ１１と、プラグ１１を介してＰＤＣコネクタ２１の電源端子に電圧を印加すると共に、プラグ１１を介してＰＤＣコネクタ２１の携帯機操作部制御信号端子の電位をアース電位に設定する電力供給回路１３と、を備える。【選択図】  図１
2006217388.tif 000002
【特許請求の範囲】
【請求項１】
電源端子及び携帯機操作部制御信号端子を備えるコネクタを有する携帯端末に対し電力を供給する電力供給装置であって、
前記コネクタに接続される接続部と、
前記接続部を介して前記電源端子に電圧を印加する電圧印加手段と、
前記接続部を介して前記携帯機操作部制御信号端子の電位をアース電位に設定する信号端子制御手段と、
を備える電力供給装置。
【請求項２】
前記接続部を介して前記携帯端末とデータ通信を行うデータ通信手段を更に備える請求項１に記載の電力供給装置。
【請求項３】
前記携帯端末は、移動体通信端末であり、
前記携帯機操作部制御信号端子にアース電位を設定した後に当該携帯機操作部制御信号端子を断線状態にするように信号端子制御手段を制御する機能制御手段を更に備える請求項１又は２に記載の電力供給装置。
【発明の詳細な説明】
【技術分野】
【０００１】
本発明は、電源端子及び携帯機操作部制御信号端子を備えるコネクタを有する携帯端末に対し電力を供給する電力供給装置に関する。
【背景技術】
【０００２】
従来から、携帯電話機等の携帯端末のインターフェースを介して携帯端末に備えられる電池に充電を行う充電装置が提案されている（例えば、下記特許文献１参照）。
【特許文献１】特開２００２−３４４３７７号公報
【発明の開示】
【発明が解決しようとする課題】
【０００３】
しかしながら、通常、携帯端末は電池から電力を得るため、電池が外された状態で携帯端末を充電装置に接続しても携帯端末は充電装置から直接、電力を得ることができず可動できない。このため例えば、携帯電話機に電話番号を付与する（半黒ロム化の）際には、携帯電話機に対して電池の着脱を繰り返さなければならず煩雑な作業が必要になっていた。
【０００４】
本発明は、上記の問題点を解決するために成されたものであり、電池が装着されていない携帯端末に対して、電力を供給することができる電力供給装置を提供することを目的とする。
【課題を解決するための手段】
【０００５】
上記目的を達成するために、本発明に係る電力供給装置は、電源端子及び携帯機操作部制御信号端子を備えるコネクタを有する携帯端末に対し電力を供給する電力供給装置であって、コネクタに接続される接続部と、接続部を介して電源端子に電圧を印加する電圧印加手段と、接続部を介して携帯機操作部制御信号端子の電位をアース電位に設定する信号端子制御手段と、を備えることを特徴とする。
【０００６】
上記の電力供給装置によれば、信号端子制御手段により接続部を介してコネクタの携帯機操作部制御信号端子にアース電位が設定されることで、携帯端末がコネクタの電源端子から直接、電力を供給されえる状態となる。その状態で、電圧印加手段によりコネクタの電源端子に印加される電圧により、携帯端末に直接、電力が供給される。従って、本発明の電力供給装置によれば、電池が装着されていない携帯端末に対して、電力を供給することができる。
【０００７】
また、電力供給装置は、接続部を介して携帯端末とデータ通信を行うデータ通信手段を更に備えることが好ましい。この構成によれば、電池が装着されていない携帯端末とデータ通信を行うことができる。
【０００８】
また、携帯端末は、移動体通信端末であり、電力供給装置は、携帯機操作部制御信号端子にアース電位を設定した後に当該携帯機操作部制御信号端子を断線状態にするように信号端子制御手段を制御する機能制御手段を更に備えることが好ましい。この構成によれば、電池が装着されていない移動体通信端末に電力を供給すると共に、移動体通信端末を移動体通信可能な状態に遷移させることができる。
【発明の効果】
【０００９】
本発明によれば、信号端子制御手段により接続部を介してコネクタの携帯機操作部制御信号端子にアース電位が設定されることで、携帯端末がコネクタの電源端子から直接、電力を供給されることができる状態となる。その状態で、電圧印加手段によりコネクタの電源端子に印加される電圧により、携帯端末に直接、電力が供給される。従って、本発明によれば、電池が装着されていない携帯端末に対して、電力を供給することができる。
【発明を実施するための最良の形態】
【００１０】
以下、図面とともに本発明による電力供給装置の好適な実施形態について詳細に説明する。なお、図面の説明においては同一要素には同一符号を付し、重複する説明を省略する。また、図面の寸法比率は、説明のものと必ずしも一致していない。
【００１１】
図１は、本実施形態に係る電力供給装置１０の構成を概略的に示す構成図である。電力供給装置１０は、携帯電話機２０に接続され、携帯電話機２０に対して電力を供給する装置である。また、電力供給装置１０は、ＰＣ（Personal Computer）等のデータ通信用端末３０とも接続され、携帯電話機２０とデータ通信用端末３０との間のデータ通信を媒介する。携帯電話機２０とデータ通信用端末３０との間のデータ通信は、具体的には例えば電話番号が登録されていない携帯電話機２０（白ロム）に、電話番号を登録する（半黒ロム化の）際に行われる。電力供給装置１０による電力の供給は、この電話番号の登録処理の際に用いられる。電力供給装置１０の具体的構成については後述する。
【００１２】
携帯電話機２０は、移動体通信網に接続して移動体通信を行う移動体通信端末である。携帯電話機２０は、ＣＰＵ、メモリ及び通信モジュール等を備えて構成される。また、携帯電話機２０は、ＰＤＣ（Personal Digital Cellular）コネクタ２１を有している。ＰＤＣコネクタ２１は、図２に概略的に示すような１６ピンのコネクタのことで、ＰＤＣの携帯端末に設けられており有線によるデータ通信等に用いられる。各端子の機能は、仕様によって決められている。８番端子は電源端子になっており、シリアル信号用接地端子である１番端子と共に所定の電位を設定すると、携帯電話に電力を供給することができる。但し、通常は供給された電力は電池への充電用に用いられ、携帯電話機２０に直接、電力を供給することはできない。また、１２番端子及び１３番端子は、携帯機操作部制御信号端子であり、所定の電位を設定することによりＰＤＣの仕様に従って携帯電話機２０の機能を制御することができる。具体的な制御内容は後述する。
【００１３】
データ通信用端末３０は、電力供給装置１０を介して携帯電話機２０とデータ通信を行う装置である。データ通信の内容は、ユーザの操作等により決められる。
【００１４】
引き続いて、電力供給装置１０の各構成要素を説明する。図１に示すように、電力供給装置１０は、プラグ１１と、電力供給装置本体１２とを備えて構成される。また、電力供給装置本体１２は、電力供給回路１３と、データ通信制御部１４と、コンバータ１５とを備えて構成される。電力供給装置本体１２は、具体的には筐体により構成されており、上記の各構成要素を実現する電気回路等を収めている。プラグ１１と電力供給装置本体１２との間、及び電力供給装置本体１２の各構成要素間は、それぞれコード１８で接続されており電気信号の送受信、及び電圧の印加等を行うことができる。また、電力供給装置１０は、携帯電話機２０に供給するための電力を取得するために、電力供給装置本体１２から延びる電源プラグをコンセントに差し込むこと等により、ＡＣ（Alternating Current）電源４０に接続されている。
【００１５】
プラグ１１は、携帯電話機２０のＰＤＣコネクタ２１に接続される接続部である。プラグ１１は、ＰＤＣコネクタ２１に対して着脱可能である。具体的にはプラグ１１は、ＰＤＣコネクタ２１に差し込むことができる形状を有した先端部を有しており当該先端部が差し込まれることにより、ＰＤＣコネクタ２１に接続される。また、プラグ１１は、先端部が差し込まれた状態でＰＤＣコネクタ２１の１６ピンの端子と接触して電位の設定等を行うための１６ピンの端子を有する。上記の端子への電圧の印加等は電力供給回路１３からコード１８を通じて行われる。
【００１６】
電力供給回路１３は、プラグ１１を介してＰＤＣコネクタ２１の電源端子に所定の電圧値の電圧を印加する電圧印加手段である。電力供給回路１３は、プラグ１１とコード１８で直接接続されている。電圧を印加するための電力は、コンバータ１５から得る。所定の電圧値とは、携帯電話機２０に電力を供給することができる電圧値である。具体的には例えば携帯電話機２０の定格電圧が3.7Ｖである場合、図２に示すように、１番端子の電位をアース電位に設定して８番端子に＋5.10Ｖの直流電圧を印加する。なお、８番端子に印加する電圧は±0.03Ｖの誤差があってもよい。
【００１７】
また、電力供給回路１３は、プラグ１１を介してＰＤＣコネクタ２１の携帯機操作部制御信号端子の電位をアース電位に設定する信号端子制御手段でもある。具体的には、図２に示すように、１２番端子及び１３番端子の電位をアース電位に設定する。
【００１８】
データ通信制御部１４は、プラグ１１を介して携帯電話機２０とデータ通信を行うデータ通信手段である。データ通信は、電力供給回路１３を介して、プラグ１１と電力供給回路１３とを接続しているコード１８を通じて行われる。また、データ通信は、携帯電話機２０のＰＤＣコネクタ２１における上記電力供給回路１３により電圧の印加等が行われる端子以外の端子を用いて行われる。即ち、１番端子、８番端子、１２番端子及び１３番端子以外のいずれかの適当な端子にプラグ１１を介してデータ通信用のデータを送受信することにより、データ通信が行われる。データ通信制御部１４は、コード１８によりデータ通信用端末３０と直接接続されており、データ通信用端末３０からデータ通信の内容を指示する情報が送信される。データ通信の具体的内容としては、携帯電話機２０の電話番号の読み取り、携帯電話機２０への電話番号の設定等のための通信がある。
【００１９】
図１に示すようにプラグ１１及び電力供給回路１３を１つの電力供給装置１０に対して複数設けて、複数の携帯電話機２０に対して同時に電力の供給及びデータ通信を行えるようにしてもよい。
【００２０】
コンバータ１５は、ＡＣ電源４０に接続されており、ＡＣ電源４０から供給される交流電流を直流電流に変換し、電力供給回路１３に供給するためのものである。なお、電力供給装置１０に入力される電力が直流回路である場合等は、このコンバータ１５は必ずしも必要ない。
【００２１】
電力供給装置１０及び携帯電話機２０は、以下のように動作する。図２に示すように携帯電話機２０のＰＤＣコネクタ２１の携帯機操作部制御信号端子である１２番端子及び１３番端子に、アース電圧が電力供給回路１３によりプラグ１１を介して設定される。１２番端子及び１３番端子にアース電圧が設定されることにより、携帯電話機２０は（電池を介さずに）ＰＤＣコネクタ２１から直接、電力が供給される状態になる。これは、ＰＤＣに準拠する携帯端末の仕様によるものである。
【００２２】
一方、ＡＣ電源４０から供給されコンバータ１５により直流電圧に変換された電圧が、電力供給回路１３によりプラグ１１を介して携帯電話機２０のＰＤＣコネクタ２１の電源端子である８番端子に印加される。また、シリアル信号用接地端子である１番端子には、アース電圧が設定される。上記のように、携帯電話機２０はＰＤＣコネクタ２１から直接、電力が供給される状態になっているので、この電圧の印加により携帯電話機２０には電力が供給される。従って、携帯電話機２０は可動する。
【００２３】
携帯電話機２０は、可動状態となっているので、電力供給装置１０のデータ通信制御部１４を介して、携帯電話機２０とデータ通信用端末３０との間のデータ通信が可能となる。ここで、上記の１２番端子及び１３番端子へのアース電圧の設定は、携帯電話機２０のロムをアクセス可能状態とする。即ち、１２番端子及び１３番端子にアース電圧が設定されている状態では、携帯電話機２０の電話番号の読み出し及び設定が可能となる。従って、電力供給装置１０のデータ通信制御部１４を介して、データ通信用端末３０から携帯電話機２０に対して携帯電話機２０の電話番号の設定が可能となる。図１に示すように、２台の携帯電話機２０を電力供給装置１０に接続することができれば、一方の携帯電話機２０から電話番号を読み出し、読み出した電話番号をもう一方の携帯電話機２０に設定すること（いわゆる機種変更の処理）も可能である。上述したように、これらの処理は、携帯電話機２０に電池が装着されていない状態で行うことが可能である。
【００２４】
上記のように本実施形態の電力供給装置１０によれば、電池が装着されていない携帯電話機２０に対して電力を供給することができ、携帯電話機２０を可動状態にすることができる。なお、本実施形態では、電力供給の対象を携帯電話機２０としたが、携帯電話機２０以外のＰＤＣコネクタ２１を有する携帯端末を電力供給の対象としてもよい。また、携帯端末が有するコネクタはＰＤＣコネクタ２１以外でも、電源端子及び携帯機操作部制御信号端子を備えるものであればよい。
【００２５】
また、本実施形態のように、携帯電話機２０との間でデータ通信を行うデータ通信制御部１４を電力供給装置１０に備えることとすれば、電池が装着されていない携帯電話機２０等の携帯端末とデータ通信を行うことができる。より具体的には例えば、携帯電話機２０の電話番号の設定、及び機種変更の処理等を携帯電話機２０が電池を装着しない状態で行うことができ、これらの作業が簡易になる。また、電話番号の設定、及び機種変更の処理等のために、携帯電話機２０に装着させる電池を用意する必要がなくなる。
【００２６】
なお、上述したように、１２番端子及び１３番端子へアース電圧が設定されている状態では、携帯電話機２０の電話番号の読み出し及び設定が可能であるが、移動体通信（通話）が行えない状態となっている。携帯電話機２０に電池が装着されていない状態で移動体通信を行えるようにするため、電力供給回路１３に、携帯機操作部制御信号端子である１２番端子及び１３番端子にアース電位を設定した後に１２番端子及び１３番端子を断線状態にするように制御する機能制御手段としての機能をもたせることとしてもよい。一旦、１２番端子及び１３番端子にアース電位を設定した後、断線状態にすると、移動体通信を行うことが可能な状態となる。この構成によれば、電池が装着されていない携帯電話機２０に電力を供給すると共に、移動体通信可能な状態に遷移させることができる。具体的には例えば、電池が装着されていない携帯電話機２０で通話のテスト等を行うことが可能となる。なお、１２番端子及び１３番端子を断線状態にするスイッチ等を設けておき、ユーザの操作により１２番端子及び１３番端子を断線状態にすることとしてもよい。
【図面の簡単な説明】
【００２７】
【図１】本発明の実施形態に係る電力供給装置の構成を示す図である。
【図２】ＰＤＣコネクタの構成を示す図である。
【符号の説明】
【００２８】
１０…電力供給装置、１１…プラグ、１２…電力供給装置本体、１３…電力供給回路、１４…データ通信制御部、１５…コンバータ、１８…コード、２０…携帯電話機、２１…ＰＤＣコネクタ、３０…データ通信用端末、４０…ＡＣ電源。
【図１】
2006217388.tif 000003
【図２】
2006217388.tif 000004